(57)【特許請求の範囲】
【請求項１】
射出成型により形成されて折り曲げ可能な折曲部を有する表示ケースと、
前記表示ケースに取り付けられる電子基板及びカバー板と、
前記表示ケースに設けられ、この表示ケースを射出成型用の型から抜く場合の型抜き方向に向けて突出するとともに、前記表示ケースを前記折曲部から折り曲げた場合に対向する向きに突出する第１嵌合部及び第２嵌合部と、
この第１嵌合部及び第２嵌合部の背面側となる外周面に外側に向けて突出する第３嵌合部と、を有し、
前記電子基板が対向する向きに突出した前記第１嵌合部により押えられて前記表示ケースに取り付けられ、前記カバー板が対向する向きに突出した前記第２嵌合部により押えられて前記表示ケースに取り付けられた表示装置をショーケースに設けられた取付孔に挿入して、この取付孔に前記第３嵌合部を嵌合させて前記表示装置を取り付けることを特徴とするショーケース。
【発明の詳細な説明】
【技術分野】
【０００１】
本発明の実施形態は、ショーケースの商品陳列室内の温度を表示する表示装置に関する。
【背景技術】
【０００２】
従来、ショーケースの商品陳列室内の温度は適温に維持されていることが必要であり、各ショーケースには検出した商品陳列室内の温度を表示する表示装置が設けられている。このような表示装置は、下記特許文献１に記載されているように、筐体と、筐体に取り付けられる蓋体と、蓋体に形成された窓孔を覆うカバーと、液晶の表示部と、表示部の表示内容を制御する電子基板とを備えている。表示部と電子基板とは筐体内に固定ネジを用いて取り付けられている。蓋体へのカバーの取り付けは、カバーに設けられた係合爪を窓孔の縁部に係合させることにより行われている。
【先行技術文献】
【特許文献】
【０００３】
【特許文献１】特許第３８０２３０３号公報
【発明の概要】
【発明が解決しようとする課題】
【０００４】
しかしながら、上記の特許文献に記載されている表示装置では、表示部や電子基板を筐体内に取り付けるための複数の固定ネジを必要とし、部品点数が多くなるとともにネジ止めを伴う組立作業に手間がかかり、コストが高くなっている。
【０００５】
本発明の実施形態の目的は、部品点数を少なくするとともに組立の作業工程数を少なくした安価な表示装置を提供することである。
【課題を解決するための手段】
【０００６】
実施形態のショーケースは、射出成型により形成されて折り曲げ可能な折曲部を有する表示ケースと、表示ケースに取り付けられる電子基板及びカバー板と、表示ケースに設けられ、この表示ケースを射出成型用の型から抜く場合の型抜き方向に向けて突出するとともに、表示ケースを折曲部から折り曲げた場合に対向する向きに突出する第１嵌合部及び第２嵌合部と、この第１嵌合部及び第２嵌合部の背面側となる外周面に外側に向けて突出する第３嵌合部と、を有し、電子基板が対向する向きに突出した第１嵌合部により押えられて表示ケースに取り付けられ、カバー板が対向する向きに突出した第２嵌合部により押えられて表示ケースに取り付けられた表示装置をショーケースに設けられた取付孔に挿入して、この取付孔に第３嵌合部を嵌合させて前記表示装置を取り付けることを特徴とする。
【図面の簡単な説明】
【０００７】
【図１】第１の実施形態の表示装置を備えたショーケースの全体構成を示す縦断側面図である。
【図２】第１の実施形態の表示装置の表示ケースを示す平面図である。
【図３】第１の実施形態の表示装置の表示ケースを示す縦断側面図である。
【図４】第１の実施形態の表示装置の電子基板を示す側面図である。
【図５】第１の実施形態の表示装置のカバー板を示す平面図である。
【図６】第１の実施形態の表示装置の縦断側面図である。
【図７】第１の実施形態の表示装置のショーケースへの取付状態を示す縦断側面図である。
【図８】第２の実施形態の表示装置の表示ケースを示す縦断側面図である。
【図９】第２の実施形態の表示装置の縦断側面図である。
【図１０】第３の実施形態の表示装置の表示ケースを示す縦断側面図である。
【図１１】第３の実施形態の表示装置の縦断側面図である。
【発明を実施するための形態】
【０００８】
（第１の実施形態）
第１の実施形態について、図１ないし図７に基づいて説明する。図１はショーケース１を示す縦断側面図であり、このショーケース１は断熱材で形成された断面形状コの字型の外周壁２と、外周壁２の内側に位置する断面形状コの字型の内周壁３とを有している。外周壁２と内周壁３との間には冷気が流れる送風ダクト４が設けられ、内周壁３の内側が商品陳列室５とされている。商品陳列室５内には、商品が陳列される複数段の商品陳列棚６が上下方向に配列されている。
【０００９】
送風ダクト４の上部にはショーケース１の手前側で開口して冷気が下向きに吹き出す冷気吹出口７が形成され、送風ダクト４の下部にはショーケース１の手前側で開口して冷気吹出口７から吹き出した冷気が吸い込まれる冷気吸込口８が形成されている。冷気吹出口７には、吹き出す冷気の流れを整流する整流板９が取り付けられている。送風ダクト４内には、冷凍装置の一部を構成する蒸発器１０と、送風機１１とが配置されている。
【００１０】
外周壁２の上部手前側には、上部カバー１２が取り付けられている。この上部カバー１２に覆われた位置には、商品陳列室５内を照明するランプ１３と、温度センサが検出した商品陳列室５内の温度を表示する表示装置１４とが取り付けられている。ショーケース１への表示装置１４の取り付けは、外周壁２に形成された取付孔１５に表示装置１４を挿入することにより行われている。
【００１１】
表示装置１４は、図２及び図３に示す表示ケース１６と、図４に示す電子基板１７と、図５に示すカバー板１８とを有し、これらの電子基板１７とカバー板１８とは図６に示すように表示ケース１６に取り付けられている。
【００１２】
ここで、表示ケース１６はプラスチックス等の樹脂材料を射出成型し形成されている。表示ケース１６は略板状の底部１９と、底部１９の短手方向の両端に設けられる保持部２０を有している。保持部２０の一方側には電子基板１７に接続される引出線を引き出すための引出孔２１が設けられている。
【００１３】
表示ケース１６は射出成型した直後において、２つの保持部２０が、図３に示すよう略Ｖ字状に開いた状態で形成されている。
【００１４】
保持部２０と底部１９は、可撓性を有し折り曲げ可能な折曲部２２により連続して一体形成されている。さらに、この保持部２０には、表示ケース１６を射出成型用の型から抜く場合の型抜き方向に向けて突出するとともに、表示ケース１６を折曲部２２から折り曲げた場合に対向する向きに向けて突出する一対の第１嵌合部２３及び第２嵌合部２４が形成されている。
【００１５】
第１嵌合部２３は、表示ケース１６を射出成型用の型から型抜きする場合の型抜き方向に向けて突出するとともに、表示ケース１６を折曲部２２から折り曲げた場合に対向する向きに突出する突出部２３ａと、突出部２３ａの根元部分に形成された段差部２３ｂとを有し、これらの第１嵌合部２３に電子基板１７の端部が嵌合されるようになっている。第２嵌合部２４は、表示ケース１６を射出成型用の型から型抜きする場合の型抜き方向に向けて突出するとともに、表示ケース１６を折曲部２２から折り曲げた場合に対向する向きに突出する突出部２４ａと、突出部２４ａの根元部分に形成された段差部２４ｂとを有し、これらの第２嵌合部２４にカバー板１８の端部が嵌合されるようになっている。
【００１６】
保持部２０の第１及び第２嵌合部２３、２４が形成されている面の反対側面、すなわち表示ケース１６の外周面には、ショーケース１の取付孔１５に嵌合する形状に形成された第３嵌合部２５が形成されている。
【００１７】
電子基板１７は、表示ケース１６を折曲部２２から折り曲げて第１嵌合部２３を対向させた場合に、図６に示すように、対向する第１嵌合部２３により押えられて表示ケース１６に取り付けられている。この電子基板１７には、温度センサが検出した商品陳列室５内の温度を表示する温度表示部１７ａと、蒸発器１０が霜取中である場合に点灯する霜取表示ランプ１７ｂとが設けられている。
【００１８】
カバー板１８は、表示ケース１６を折曲部２２から折り曲げて第２嵌合部２４を対向させた場合に、図６に示すように、対向する第２嵌合部２４により押えられて表示ケース１６に取り付けられている。このカバー板１８には、透明な部材で形成された透光性の窓１８ａ、１８ｂが形成されており、これらの窓１８ａ、１８ｂは、カバー板１８と電子基板１７とを表示ケース１６に取り付けた場合に、一方の窓１８ａが温度表示部１７ａに対向し、他方の窓１８ｂが霜取表示ランプ１７ｂに対向するようになっている。
【００１９】
表示ケース１６に電子基板１７とカバー板１８とが取付けられた表示装置１４は、図７に示すように、第３嵌合部２５を取付孔１５に嵌合させることによりショーケース１に取付けられている。
【００２０】
このような構成において、このショーケース１では、冷凍装置が駆動されることにより送風ダクト４内の空気が蒸発器１０により冷却されて冷気となり、送風機１１が駆動されることによりこの冷気が送風ダクト４内を送風される。送風ダクト４内を送風された冷気は、冷気吹出口７から吹き出すとともに冷気吸込口８から吸い込まれ、矢印で示すように循環する。循環する冷気の一部は矢印で示すように内周壁３に形成されている穴から商品陳列室５内に流入し、商品陳列室５内が冷却される。
【００２１】
商品陳列室５内の温度は温度センサにより検出され、その検出結果の値が表示装置１４の温度表示部１７ａに表示され、表示された値はカバー板１８の窓１８ａを通して視認することができる。従って、商品陳列室５内の温度を容易に知ることができ、必要に応じて商品陳列室５内の温度を昇降させる操作を行うことにより商品陳列室５の温度管理を容易に行うことができる。
【００２２】
表示装置１４の組立は、以下の手順で行われる。まず、表示ケース１６を射出成型により形成し、射出成型用の型の片側を図３に示す矢印Ａ方向に移動させることにより表示ケース１６を型抜きする。表示ケース１６には、第１嵌合部２３と第２嵌合部２４とが形成されているが、これらの第１・第２嵌合部２３、２４は、表示ケース１６を射出成型用の型から抜く場合の型抜き方向（矢印Ａ方向）に向けて突出している。このため、表示ケース１６に第１・第２嵌合部２３、２４が設けられていても、表示ケース１６の型抜きを支障なく行うことができる。ここで、第１，第２嵌合部２３，２４の突出部２３ａ、２４ａは、型抜き方向に依存する形状となる。すなわち、突出部２３ａ、２４ａの表面と型抜き方向（矢印Ａ方向）とのなす角度は１８０°以下となる。
【００２３】
表示ケース１６を型抜きした後は、図３及び図６に示すように表示ケース１６を折曲部２２から矢印Ｂ方向に折り曲げる。そして、この折り曲げを行っている途中で電子基板１７を第１嵌合部２３の下側に配置するとともに、カバー板１８を第２嵌合部２４の下側に配置する。これにより、折曲部２２からの折り曲げが終了した場合には、図６に示すように、第１・第２嵌合部２３、２４がそれぞれ対向する向きに突出し、電子基板１７が対向する向きに突出した第１嵌合部２３により押えられて表示ケース１６に取り付けられるとともに、カバー板１８が対向する向きに突出した第２嵌合部２４により押えられて表示ケース１６に取り付けられる。このようにして、表示ケース１６への電子基板１７とカバー板１８との取り付けを、固定ネジ等の部品を使用することなく行うことができ、表示装置１４を構成する部品点数を少なくすることができる。しかも、表示ケース１６を折曲部２２から折り曲げることにより電子基板１７とカバー板１８とを表示ケース１６に取り付けることができるので、表示装置１４の組立作業の手間をかけず容易に行うことができる。図６に示すように電子基板１７とカバー板１８との取り付けが終了した表示装置１４は、取付孔１５に挿入され、ショーケース１への表示装置１４の取り付けが終了する。
【００２４】
上記のような構成とすることで、少ない部品点数で組立の作業工程数も少なく、取付作業も簡易な表示装置１４とすることができ、より安価なショーケース１を提供することができる。
【００２５】
また、表示ケース１６の折曲部２２を２箇所とすることにより、射出成型直後の開いた状態とショーケース１への組み付け状態の折り曲げ角度が１／２となるため、組み付け後の折曲部２２に掛る負荷が小さく破断しにくい。
（第２の実施形態）
第２の実施形態について、図８及び図９に基づいて説明する。なお、図１ないし図７において説明した構成要素と同じ構成要素は同じ符号で示し、重複する説明は省略する。
【００２６】
図８は、表示装置３０を構成する表示ケース３１を示しており、この表示ケース３１は、第１の実施形態で説明した表示ケース１６と同様に、射出成型により形成されるプラスチックス製である。図９に示すように、表示装置３０は、表示ケース３１と、表示ケース３１に取り付けられる電子基板１７とカバー板１８とを有している。
【００２７】
表示ケース３１の短手方向一方側には、折り曲げ可能な折曲部３２を介して底部３３と一体成型された保持部３４を有しており、短手方向他方側には底部３３に固定された保持部３５が形成されている。表示ケース３１は射出成型により形成された状態では、保持部３４と底部３３の成す角度は略１８０°程度に形成されており、表示装置３０を組立てた時点では略９０°まで折り曲げられる。さらに、この表示ケース３１には、表示ケース３１を射出成型用の型から抜く場合の型抜き方向（矢印Ｃ方向）に延出して形成されるとともに、表示ケース３１を折曲部３２から折り曲げた場合に対向する一対の第１嵌合部３６及び第２嵌合部３７が形成されている。
【００２８】
第１嵌合部３６は、表示ケース３１を射出成型用の型から型抜きする場合の型抜き方向に向けて突出するとともに、表示ケース３１を折曲部３２から折り曲げた場合に対向する向きに突出する突出部３６ａと、突出部３６ａの根元部分に形成された段差部３６ｂとを有し、これらの第１嵌合部３６に電子基板１７の端部が嵌合されるようになっている。第２嵌合部３７は、表示ケース３１を射出成型用の型から型抜きする場合の型抜き方向に向けて突出するとともに、表示ケース３１を折曲部３２から折り曲げた場合に対向する向きに突出する突出部３７ａと、突出部３７ａの根元部分に形成された段差部３７ｂｂとを有し、これらの第２嵌合部３７にカバー板１８の端部が嵌合されるようになっている。
【００２９】
このような構成において、表示装置３０の組立は、以下の手順で行われる。まず、表示ケース３１を射出成型により形成し、射出成型用の型の片側を矢印Ｃ方向に移動させることにより表示ケース３１を型抜きする。表示ケース３１には、第１嵌合部３６と第２嵌合部３７とが形成されているが、これらの第１・第２嵌合部３６、３７は、表示ケース３１を射出成型用の型から抜く場合の型抜き方向に向けて突出しているため、表示ケース３１の型抜きを支障なく行うことができる。
【００３０】
表示ケース３１を型抜きした後は、図８及び図９に示すように表示ケース３１を折曲部３２から矢印Ｄ方向に折り曲げる。そして、この折り曲げを行っている途中で電子基板１７を第１嵌合部３６の下側に配置するとともに、カバー板１８を第２嵌合部３７の下側に配置する。これにより、折曲部３２からの折り曲げが終了した場合には、図９に示すように、第１・第２嵌合部３６、３７がそれぞれ対向する向きに突出し、電子基板１７が対向する向きに突出した第１嵌合部３６により押えられて表示ケース３１に取り付けられるとともに、カバー板１８が対向する向きに突出した第２嵌合部３７により押えられて表示ケース３１に取り付けられる。このようにして、表示ケース３１への電子基板１７とカバー板１８との取り付けを、固定ネジ等の部品を使用することなく行うことができ、表示装置３０を構成する部品点数を少なくすることができる。しかも、本実施形態の場合、第１の実施形態の表示ケース１６に比較して、折曲部３２が一方側しかないため、組み立て時において、折曲部３２側からカバー板１８及び電子基板１７を差し込むように配置し、表示ケース３１を折曲部３２から折り曲げることにより電子基板１７とカバー板１８とを表示ケース３１に取り付けることができるので、表示装置３０の組立作業をより容易に行うことができる。
（第３の実施形態）
第３の実施形態について、図９及び図１０に基づいて説明する。なお、図１ないし図７において説明した構成要素と同じ構成要素は同じ符号で示し、重複する説明は省略する。
【００３１】
図１０は、表示装置４０を構成する表示ケース４１を示しており、この表示ケース４１は、第１の実施形態で説明した表示ケース１６と同様に、射出成型により形成されるプラスチックス製である。図１１に示すように、表示装置４０は、表示ケース４１と、表示ケース４１に取り付けられる電子基板１７とカバー板１８とを有している。
【００３２】
表示ケース４１には、短手方向の略中央に折り曲げ可能な折曲部４２が形成されている。さらに、この表示ケース４１には、表示ケース４１を射出成型用の型から抜く場合の型抜き方向（矢印Ａ方向）に向けて突出するとともに、表示ケース４１を折曲部４２から折り曲げた場合に対向する向きに突出する第１嵌合部２４及び第２嵌合部２５が形成されている。
【００３３】
このような構成において、表示装置４０の組立は、以下の手順で行われる。まず、表示ケース４１を射出成型により形成し、射出成型用の型の片側を矢印Ａ方向に移動させることにより表示ケース４１を型抜きする。表示ケース４１には、第１嵌合部２４と第２嵌合部２５とが形成されているが、これらの第１・第２嵌合部２４、２５は、表示ケース４１を射出成型用の型から抜く場合の型抜き方向に向けて突出しているため、表示ケース４１の型抜きを支障なく行うことができる。
【００３４】
表示ケース４１を型抜きした後、表示ケース４１を折曲部４２から図１０に示す矢印Ｅ方向に折り曲げる。そして、この折り曲げを行っている途中で電子基板１７を第１嵌合部２４の下側に配置するとともに、カバー板１８を第２嵌合部２５の下側に配置する。これにより、折曲部４２からの折り曲げが終了した場合には、図１１に示すように、第１・第２嵌合部２４、２５がそれぞれ対向する向きに突出し、電子基板１７が対向する向きに突出した第１嵌合部２４により押えられて表示ケース４１に取り付けられるとともに、カバー板１８が対向する向きに突出した第２嵌合部２５により押えられて表示ケース４１に取り付けられる。このようにして、表示ケース４１への電子基板１７とカバー板１８との取り付けを、固定ネジ等の部品を使用することなく行うことができ、表示装置４０を構成する部品点数を少なくすることができる。しかも、表示ケース４１を折曲部４２から折り曲げることにより電子基板１７とカバー板１８とを表示ケース４１に取り付けることができるので、表示装置４０の組立作業の手間をかけず容易に行うことができる。
【００３５】
上記第１ないし第３の実施形態において、第１，第２の嵌合部２４、２５（３６、３７）は、突出部２４ａ、２５ａ（３５ａ、３６ａ）と段差部２４ｂ、２５ｂ（３６ｂ、３７ｂ）を有する形状として説明したが、その他にもカバー板１８及び電子基板１７の端面に嵌め合う形状の溝状に形成しても良い。
【００３６】
また、上記実施形態において向かい合う第１，第２の嵌合部２４、２５（３６、３７）は、表示ケース１６（３１、４１）の対向する面に設けられていればよく、千鳥配置状等に配置されてもよい。
【００３７】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３８】
１４…表示装置、１６…表示ケース、１７…基板、１８…カバー板、２２…折曲部、２３…第１嵌合部、２４…第２嵌合部、３０…表示装置、３１…表示ケース、３２…折曲部、３６…第１嵌合部、３７…第２嵌合部、４０…表示装置、４１…表示ケース、４２…折曲部
【図１】
0006723837.tif 000002
【図２】
0006723837.tif 000003
【図３】
0006723837.tif 000004
【図４】
0006723837.tif 000005
【図５】
0006723837.tif 000006
【図６】
0006723837.tif 000007
【図７】
0006723837.tif 000008
【図８】
0006723837.tif 000009
【図９】
0006723837.tif 000010
【図１０】
0006723837.tif 000011
【図１１】
0006723837.tif 000012